(57)【特許請求の範囲】
【請求項１】
ルータに用いられるルータアクセス制御方法であって、
ターゲットウェブサイトのアドレスと、ターゲットｐｏｓｔコンテンツを取得するステップと、
前記ターゲットｐｏｓｔコンテンツに基づいて、ｐｏｓｔ要求を生成するステップと、
前記ターゲットウェブサイトのアドレスに前記ｐｏｓｔ要求を送信するステップと、
前記ターゲットウェブサイトのアドレスが前記ｐｏｓｔ要求に基づいて返したリターン・メッセージを取得するステップと、
前記リターン・メッセージが予め設定されたリターン・メッセージであるか否かを判断するステップと、
前記リターン・メッセージが予め設定されたリターン・メッセージではない場合、前記リターン・メッセージが予め設定されたリターン・メッセージになるまで、引き続き前記ターゲットウェブサイトのアドレスに前記ｐｏｓｔ要求を送信するステップと、
前記リターン・メッセージが予め設定されたリターン・メッセージである場合、前記リターン・メッセージに基づいて通知プッシュメッセージを生成するステップと、
予め設定された少なくとも１つの受信端末に前記通知プッシュメッセージを送信するステップと、
を含むことを特徴とするルータアクセス制御方法。
【請求項２】
前記リターン・メッセージが予め設定されたリターン・メッセージである場合、前記リターン・メッセージにおける支払い情報を取得するステップと、
前記支払い情報に基づいて、支払いプッシュメッセージを生成するステップと、
予め設定された少なくとも１つの受信端末に前記支払いプッシュメッセージを送信するステップと
をさらに含むことを特徴とする請求項１に記載のルータアクセス制御方法。
【請求項３】
予め設定された受信端末にプッシュメッセージを送信する方式は、ＳＭＳ、Ｅメール、ウェブサイトメッセージ、インターネットプッシュメッセージ、ＬＡＮ通知メッセージのうちの１つまたは複数の方式の組み合わせであることを特徴とする請求項１または２に記載のルータアクセス制御方法。
【請求項４】
前記ターゲットウェブサイトのアドレスと、ターゲットｐｏｓｔコンテンツを取得するステップは、
送信端末から送信されるか、前記ルータに接続されている入力装置から入力され、且つ少なくとも前記ターゲットウェブサイトのアドレスと、ターゲットｐｏｓｔコンテンツが含まれているｐｏｓｔ指示を受信するステップと、
前記ｐｏｓｔ指示から前記ターゲットウェブサイトのアドレスとターゲットｐｏｓｔコンテンツを抽出するステップと
を含むことを特徴とする請求項１に記載のルータアクセス制御方法。
【請求項５】
前記ターゲットウェブサイトのアドレスと、ターゲットｐｏｓｔコンテンツを取得するステップは、
送信端末から送信され、且つ少なくとも前記ターゲットｐｏｓｔコンテンツが含まれているｐｏｓｔ指示を、予め設定されたウェブサイトアドレスがバインディングされているアプリケーションを用いて受信するステップと、
前記アプリケーションにバインディングされている予め設定されたウェブサイトアドレスを前記ターゲットウェブサイトのアドレスとして確定するステップと、
前記ｐｏｓｔ指示から前記ターゲットｐｏｓｔコンテンツを抽出するステップと
を含むことを特徴とする請求項１に記載のルータアクセス制御方法。
【請求項６】
前記ターゲットウェブサイトのアドレスと、ターゲットｐｏｓｔコンテンツを取得するステップは、
送信端末から送信され、且つ少なくとも参照ウェブサイトのアドレスと、参照ｐｏｓｔコンテンツが含まれている参照ｐｏｓｔ要求を受信するステップと、
予め設定されたウェブサイトアドレスのデータベースに前記参照ウェブサイトのアドレスが含まれているか否かを判断するステップと、
予め設定された前記ウェブサイトアドレスのデータベースに前記参照ウェブサイトのアドレスが含まれている場合、前記参照ｐｏｓｔ要求から前記参照ウェブサイトのアドレスと、参照ｐｏｓｔコンテンツを抽出するステップと、
前記参照ウェブサイトのアドレスを前記ターゲットウェブサイトのアドレスとして確定し、前記参照ｐｏｓｔコンテンツを前記ターゲットｐｏｓｔコンテンツとして確定するステップと
を含むことを特徴とする請求項１に記載のルータアクセス制御方法。
【請求項７】
前記ｐｏｓｔ指示、または参照ｐｏｓｔ要求には、プッシュメッセージを受信するための予め設定された受信端末の情報が含まれ、
前記方法は、
前記ｐｏｓｔ指示、または参照ｐｏｓｔ要求から前記予め設定された受信端末の情報を抽出するステップをさらに含むことを特徴とする請求項４乃至６のいずれか１項に記載のルータアクセス制御方法。
【請求項８】
ルータに用いられるルータアクセス制御装置であって、
ターゲットウェブサイトのアドレスと、ターゲットｐｏｓｔコンテンツを取得するためのオブジェクト取得ユニットと、
前記ターゲットｐｏｓｔコンテンツに基づいて、ｐｏｓｔ要求を生成するための要求生成ユニットと、
前記ターゲットウェブサイトのアドレスに前記ｐｏｓｔ要求を送信するための要求送信ユニットと、
前記ターゲットウェブサイトのアドレスが前記ｐｏｓｔ要求に基づいて返したリターン・メッセージを取得するためのリターン・メッセージ取得ユニットと、
前記リターン・メッセージが予め設定されたリターン・メッセージであるか否かを判断するためのリターン・メッセージ判断ユニットと、
前記リターン・メッセージが予め設定されたリターン・メッセージである場合、前記リターン・メッセージに基づいて通知プッシュメッセージを生成するための第１のプッシュメッセージ生成ユニットと、
予め設定された少なくとも１つの受信端末に前記通知プッシュメッセージを送信するための第１のプッシュメッセージ送信ユニットと、
を含み、
前記リターン・メッセージが予め設定されたリターン・メッセージではない場合、前記要求送信ユニットは、前記リターン・メッセージが予め設定されたリターン・メッセージになるまで、引き続き前記ターゲットウェブサイトのアドレスに前記ｐｏｓｔ要求を送信することを特徴とするルータアクセス制御装置。
【請求項９】
前記リターン・メッセージが予め設定されたリターン・メッセージである場合、前記リターン・メッセージにおける支払い情報を取得するための支払い情報取得ユニットと、
前記支払い情報に基づいて、支払いプッシュメッセージを生成するための第２のプッシュメッセージ生成ユニットと、
予め設定された少なくとも１つの受信端末に前記支払いプッシュメッセージを送信するための第２のプッシュメッセージ送信ユニットと
をさらに含むことを特徴とする請求項８に記載のルータアクセス制御装置。
【請求項１０】
前記オブジェクト取得ユニットは、
送信端末から送信されるか、前記ルータに接続されている入力装置から入力され、且つ少なくとも前記ターゲットウェブサイトのアドレスと、ターゲットｐｏｓｔコンテンツが含まれているｐｏｓｔ指示を受信するための第１の指示受信ユニットと、
前記ｐｏｓｔ指示から前記ターゲットウェブサイトのアドレスとターゲットｐｏｓｔコンテンツを抽出するためのオブジェクト抽出ユニットと
を含むことを特徴とする請求項８に記載のルータアクセス制御装置。
【請求項１１】
前記オブジェクト取得ユニットは、
送信端末から送信され、且つ少なくとも前記ターゲットｐｏｓｔコンテンツが含まれているｐｏｓｔ指示を、予め設定されたウェブサイトアドレスがバインディングされているアプリケーションを用いて受信するための第２の指示受信ユニットと、
前記アプリケーションにバインディングされている予め設定されたウェブサイトアドレスを前記ターゲットウェブサイトのアドレスとして確定するためのターゲットウェブサイトアドレス確定ユニットと、
前記ｐｏｓｔ指示から前記ターゲットｐｏｓｔコンテンツを抽出するためのターゲットｐｏｓｔコンテンツ抽出ユニットと
を含むことを特徴とする請求項８に記載のルータアクセス制御装置。
【請求項１２】
前記オブジェクト取得ユニットは、
送信端末から送信され、且つ少なくとも参照ウェブサイトのアドレスと、参照ｐｏｓｔコンテンツが含まれている参照ｐｏｓｔ要求を受信するための要求受信ユニットと、
予め設定されたウェブサイトアドレスのデータベースに前記参照ウェブサイトのアドレスが含まれているか否かを判断するためのウェブサイトアドレス判断ユニットと、
予め設定された前記ウェブサイトアドレスのデータベースに前記参照ウェブサイトのアドレスが含まれている場合、前記参照ｐｏｓｔ要求から前記参照ウェブサイトのアドレスと、参照ｐｏｓｔコンテンツを抽出するための参照オブジェクト抽出ユニットと、
前記参照ウェブサイトのアドレスを前記ターゲットウェブサイトのアドレスとして確定し、前記参照ｐｏｓｔコンテンツを前記ターゲットｐｏｓｔコンテンツとして確定するためのターゲットオブジェクト確定ユニットと
を含むことを特徴とする請求項８に記載のルータアクセス制御装置。
【請求項１３】
前記ｐｏｓｔ指示、または参照ｐｏｓｔ要求には、プッシュメッセージを受信するための予め設定された受信端末の情報が含まれ、
前記装置は、
前記ｐｏｓｔ指示、または参照ｐｏｓｔ要求から前記予め設定された受信端末の情報を抽出するための端末情報抽出ユニットをさらに含むことを特徴とする請求項１０乃至１２のいずれか１項に記載のルータアクセス制御装置。
【請求項１４】
プロセッサと、
前記プロセッサにより実行可能な指令を記憶するためのメモリと
を含み、
前記プロセッサは、
ターゲットウェブサイトのアドレスと、ターゲットｐｏｓｔコンテンツを取得し、
前記ターゲットｐｏｓｔコンテンツに基づいて、ｐｏｓｔ要求を生成し、
前記ターゲットウェブサイトのアドレスに前記ｐｏｓｔ要求を送信し、
前記ターゲットウェブサイトのアドレスが前記ｐｏｓｔ要求に基づいて返したリターン・メッセージを取得し、
前記リターン・メッセージが予め設定されたリターン・メッセージであるか否かを判断し、
前記リターン・メッセージが予め設定されたリターン・メッセージではない場合、前記リターン・メッセージが予め設定されたリターン・メッセージになるまで、引き続き前記ターゲットウェブサイトのアドレスに前記ｐｏｓｔ要求を送信し、
前記リターン・メッセージが予め設定されたリターン・メッセージである場合、前記リターン・メッセージに基づいて通知プッシュメッセージを生成し、予め設定された少なくとも１つの受信端末に前記通知プッシュメッセージを送信するように構成されることを特徴とするルータ。
【請求項１５】
プロセッサに実行されることにより、請求項１から請求項７のいずれかに記載のルータアクセス制御方法を実現することを特徴とするプログラム。
【請求項１６】
請求項１５に記載のプログラムが記録された記録媒体。
【発明の詳細な説明】
【相互参照】
【０００１】
本願は、出願番号がＣＮ２０１４１００６９５７０．６であって、出願日が２０１４年２月２７日である中国特許出願に基づき優先権を主張し、当該中国特許出願のすべての内容を本願に援用する。
【技術分野】
【０００２】
本発明は、ネットワーク設備の技術分野に関し、特に、ルータアクセス制御方法、装置、ルータ、プログラム、及び記録媒体に関する。
【背景技術】
【０００３】
情報資源のネットワーク化の発展に従って、情報資源ネットワークに加入する企業がますます多くなり、情報資源のネットワーク化は、現在の生産構造、産業構造、及び労働力構造を変化させるだけでなく、人々の生活方式、交流方式、作業方式、及び学習方式も大きく変化させる。
【０００４】
例えば、インターネットで病院の受け付けをするか、インターネットで博物館、またはその他の参観場所を予約するか、インターネットでホテル、列車乗車券、または飛行機チケットを予約するなどの伝統的な社会公共資源も情報資源ネットワークに加入している。ユーザは、このような社会公共資源を取得しようとする際、コンピュータ、携帯電話、またはその他のスマート端末において、ブラウザを用いてターゲットウェブサイトにアクセスしてから、作成、入力などの操作を行うと資源を要求することができる。しかしながら、今回の資源要求に失敗した場合、操作を複数回繰り返して実行しなければ新たに要求できず、これは、資源取得に時間がかかり、資源取得が非常に不便である問題をもたらす。
【発明の概要】
【０００５】
本発明は、情報資源の取得が不便である問題を解決するために、ルータアクセス制御方法、装置、ルータ、プログラム、及び記録媒体を提供する。
【０００６】
本発明の実施例の第１の局面によると、ルータアクセス制御方法を提供し、当該方法は、
ターゲットウェブサイトのアドレスと、ターゲットｐｏｓｔコンテンツを取得するステップと、前記ターゲットｐｏｓｔコンテンツに基づいて、ｐｏｓｔ要求を生成するステップと、前記ターゲットウェブサイトのアドレスに前記ｐｏｓｔ要求を送信するステップと、前記ターゲットウェブサイトのアドレスが前記ｐｏｓｔ要求に基づいて返したリターン・メッセージを取得するステップと、前記リターン・メッセージが予め設定されたリターン・メッセージであるか否かを判断するステップと、前記リターン・メッセージが予め設定されたリターン・メッセージではない場合、前記リターン・メッセージが予め設定されたリターン・メッセージになるまで、引き続き前記ターゲットウェブサイトのアドレスに前記ｐｏｓｔ要求を送信するステップとを含む。
【０００７】
第１の局面の第１の可能な実現方式において、前記方法は、
前記リターン・メッセージが予め設定されたリターン・メッセージである場合、前記リターン・メッセージに基づいて、通知プッシュメッセージを生成するステップと、予め設定された少なくとも１つの受信端末に前記通知プッシュメッセージを送信するステップとをさらに含む。
【０００８】
第１の局面の第２の可能な実現方式において、前記方法は、
前記リターン・メッセージが予め設定されたリターン・メッセージである場合、前記リターン・メッセージにおける支払い情報を取得するステップと、前記支払い情報に基づいて、支払いプッシュメッセージを生成するステップと、予め設定された少なくとも１つの受信端末に前記支払いプッシュメッセージを送信するステップとをさらに含む。
【０００９】
第１の局面の第３の可能な実現方式において、予め設定された受信端末にプッシュメッセージを送信する方式は、ＳＭＳ、Ｅメール、ウェブサイトメッセージ、インターネットプッシュメッセージ、ＬＡＮ通知メッセージのうちの１つまたは複数の方式の組み合わせである。
【００１０】
第１の局面の第４の可能な実現方式において、前記ターゲットウェブサイトのアドレスと、ターゲットｐｏｓｔコンテンツを取得するステップは、
送信端末から送信されるか、前記ルータに接続されている入力装置から入力され、且つ少なくとも前記ターゲットウェブサイトのアドレスと、ターゲットｐｏｓｔコンテンツが含まれているｐｏｓｔ指示を受信するステップと、前記ｐｏｓｔ指示から前記ターゲットウェブサイトのアドレスとターゲットｐｏｓｔコンテンツを抽出するステップとを含む。
【００１１】
第１の局面の第５の可能な実現方式において、前記ターゲットウェブサイトのアドレスと、ターゲットｐｏｓｔコンテンツを取得するステップは、
送信端末から送信され、且つ少なくとも前記ターゲットｐｏｓｔコンテンツが含まれているｐｏｓｔ指示を、予め設定されたウェブサイトアドレスがバインディングされているアプリケーションを用いて受信するステップと、前記アプリケーションにバインディングされている予め設定されたウェブサイトアドレスを前記ターゲットウェブサイトのアドレスとして確定するステップと、前記ｐｏｓｔ指示から前記ターゲットｐｏｓｔコンテンツを抽出するステップとを含む。
【００１２】
第１の局面の第６の可能な実現方式において、前記ターゲットウェブサイトのアドレスと、ターゲットｐｏｓｔコンテンツを取得するステップは、
送信端末から送信され、少なくとも参照ウェブサイトのアドレスと、参照ｐｏｓｔコンテンツが含まれている参照ｐｏｓｔ要求を受信するステップと、予め設定されたウェブサイトアドレスのデータベースに前記参照ウェブサイトのアドレスが含まれているか否かを判断するステップと、予め設定された前記ウェブサイトアドレスのデータベースに前記参照ウェブサイトのアドレスが含まれている場合、前記参照ｐｏｓｔ要求から前記参照ウェブサイトのアドレスと、参照ｐｏｓｔコンテンツを抽出するステップと、前記参照ウェブサイトのアドレスを前記ターゲットウェブサイトのアドレスとして確定し、前記参照ｐｏｓｔコンテンツを前記ターゲットｐｏｓｔコンテンツとして確定するステップとを含む。
【００１３】
第１の局面の第７の可能な実現方式において、前記ｐｏｓｔ指示、または参照ｐｏｓｔ要求には、プッシュメッセージを受信するための予め設定された受信端末の情報が含まれ、前記方法は、
前記ｐｏｓｔ指示、または参照ｐｏｓｔ要求から前記予め設定された受信端末の情報を抽出するステップをさらに含む。
【００１４】
本発明の実施例の第２の局面によると、ルータに用いられるルータアクセス制御装置を提供し、当該装置は、
ターゲットウェブサイトのアドレスと、ターゲットｐｏｓｔコンテンツを取得するためのオブジェクト取得ユニットと、前記ターゲットｐｏｓｔコンテンツに基づいて、ｐｏｓｔ要求を生成するための要求生成ユニットと、前記ターゲットウェブサイトのアドレスに前記ｐｏｓｔ要求を送信するための要求送信ユニットと、前記ターゲットウェブサイトのアドレスが前記ｐｏｓｔ要求に基づいて返したリターン・メッセージを取得するためのリターン・メッセージ取得ユニットと、前記リターン・メッセージが予め設定されたリターン・メッセージであるか否かを判断するためのリターン・メッセージ判断ユニットとを含み、前記リターン・メッセージが予め設定されたリターン・メッセージではない場合、前記要求送信ユニットは、前記リターン・メッセージが予め設定されたリターン・メッセージになるまで、引き続き前記ターゲットウェブサイトのアドレスに前記ｐｏｓｔ要求を送信する。
【００１５】
第２の局面の第１の可能な実現方式において、前記装置は、
前記リターン・メッセージが予め設定されたリターン・メッセージである場合、前記リターン・メッセージに基づいて、通知プッシュメッセージを生成するための第１のプッシュメッセージ生成ユニットと、予め設定された少なくとも１つの受信端末に前記通知プッシュメッセージを送信するための第１のプッシュメッセージ送信ユニットとをさらに含む。
【００１６】
第２の局面の第２の可能な実現方式において、前記装置は、
前記リターン・メッセージが予め設定されたリターン・メッセージである場合、前記リターン・メッセージにおける支払い情報を取得するための支払い情報取得ユニットと、前記支払い情報に基づいて、支払いプッシュメッセージを生成するための第２のプッシュメッセージ生成ユニットと、予め設定された少なくとも１つの受信端末に前記支払いプッシュメッセージを送信するための第２のプッシュメッセージ送信ユニットとをさらに含む。
【００１７】
第２の局面の第３の可能な実現方式において、前記オブジェクト取得ユニットは、
送信端末から送信されるか、前記ルータに接続されている入力装置から入力され、且つ少なくとも前記ターゲットウェブサイトのアドレスと、ターゲットｐｏｓｔコンテンツが含まれているｐｏｓｔ指示を受信するための第１の指示受信ユニットと、前記ｐｏｓｔ指示から前記ターゲットウェブサイトのアドレスと、ターゲットｐｏｓｔコンテンツを抽出するためのオブジェクト抽出ユニットとを含む。
【００１８】
第２の局面の第４の可能な実現方式において、前記オブジェクト取得ユニットは、
送信端末から送信され、且つ少なくとも前記ターゲットｐｏｓｔコンテンツが含まれているｐｏｓｔ指示を、予め設定されたウェブサイトアドレスがバインディングされているアプリケーションを用いて受信するための第２の指示受信ユニットと、前記アプリケーションにバインディングされている予め設定されたウェブサイトアドレスを前記ターゲットウェブサイトのアドレスとして確定するためのターゲットウェブサイトアドレス確定ユニットと、前記ｐｏｓｔ指示から前記ターゲットｐｏｓｔコンテンツを抽出するためのターゲットｐｏｓｔコンテンツ抽出ユニットとを含む。
【００１９】
第２の局面の第５の可能な実現方式において、前記オブジェクト取得ユニットは、
送信端末から送信され、少なくとも参照ウェブサイトのアドレスと、参照ｐｏｓｔコンテンツが含まれている参照ｐｏｓｔ要求を受信するための要求受信ユニットと、予め設定されたウェブサイトアドレスのデータベースに前記参照ウェブサイトのアドレスが含まれているか否かを判断するためのウェブサイトアドレス判断ユニットと、予め設定された前記ウェブサイトアドレスのデータベースに前記参照ウェブサイトのアドレスが含まれている場合、前記参照ｐｏｓｔ要求から前記参照ウェブサイトのアドレスと、参照ｐｏｓｔコンテンツを抽出するための参照オブジェクト抽出ユニットと、前記参照ウェブサイトのアドレスを前記ターゲットウェブサイトのアドレスとして確定し、前記参照ｐｏｓｔコンテンツを前記ターゲットｐｏｓｔコンテンツとして確定するためのターゲットオブジェクト確定ユニットとを含む。
【００２０】
第２の局面の第６の可能な実現方式において、前記ｐｏｓｔ指示、または参照ｐｏｓｔ要求には、プッシュメッセージを受信するための予め設定された受信端末の情報が含まれ、前記装置は、
前記ｐｏｓｔ指示、または参照ｐｏｓｔ要求から前記予め設定された受信端末の情報を抽出するための端末情報抽出ユニットをさらに含む。
【００２１】
本発明の実施例の第３の局面によると、サーバを提供し、当該サーバは、
プロセッサと、前記プロセッサにより実行可能な指令を記憶するためのメモリとを含み、前記プロセッサは、ターゲットウェブサイトのアドレスと、ターゲットｐｏｓｔコンテンツを取得し、前記ターゲットｐｏｓｔコンテンツに基づいて、ｐｏｓｔ要求を生成し、前記ターゲットウェブサイトのアドレスに前記ｐｏｓｔ要求を送信し、前記ターゲットウェブサイトのアドレスが前記ｐｏｓｔ要求に基づいて返したリターン・メッセージを取得し、前記リターン・メッセージが予め設定されたリターン・メッセージであるか否かを判断し、前記リターン・メッセージが予め設定されたリターン・メッセージではない場合、前記リターン・メッセージが予め設定されたリターン・メッセージになるまで、引き続き前記ターゲットウェブサイトのアドレスに前記ｐｏｓｔ要求を送信するように構成される。
【００２２】
本発明の実施例の第４の局面によると、プログラムを提供し、当該プログラムは、プロセッサに実行されることにより、上記ルータアクセス制御方法を実現する。
【００２３】
本発明の実施例の第５の局面によると、記録媒体を提供し、当該記録媒体には、上記プログラムが記録されている。
【００２４】
本発明の実施例に係る技術案は、以下のような有益な効果がある。
【００２５】
ネットワーク資源を取得する過程において、ルータは、ターゲットウェブサイトのアドレスとターゲットｐｏｓｔコンテンツを一回（一般的には、今回のネットワーク資源取得過程において最初に）取得すれば、その後のネットワーク資源取得過程において、今回のネットワーク資源取得過程のリターン・メッセージが予め設定されたリターン・メッセージであるか否かを判断することができ、予め設定されたリターン・メッセージを取得できなかった場合、今回のネットワーク資源取得過程のリターン・メッセージが予め設定されたリターン・メッセージになるまで、ｐｏｓｔ要求の送信を自動的に複数回実行する。
【００２６】
本発明にかかるルータアクセス制御方法によると、パラメータ（ターゲットウェブサイトのアドレスとターゲットｐｏｓｔ要求を含む）を一回受信すれば、予め設定されたリターン・メッセージが返信されるまで、その後のｐｏｓｔ要求の送信を自動的に複数回実行できるため、関連技術において、要求に失敗した場合、ユーザが再度入力するか操作しなければならない問題を回避でき、操作が簡単で便利である。
【００２７】
一方、本発明にかかるルータアクセス制御方法によると、ネットワーク資源取得過程において、ユーザが端末を用いてターゲットウェブサイトのアドレスとターゲットｐｏｓｔコンテンツをルータに一回送信すれば、残りのデータやり取りは、すべてルータと、ターゲットウェブサイトのアドレスに対応するサーバの間で行われるため、関連技術に比べて、ルータが毎回ｐｏｓｔ要求のリターン・メッセージをユーザに転送しユーザがさらに操作してｐｏｓｔ要求を送信する必要がない。従って、ルータと端末の間のやり取り回数を減少させることができ、今回のネットワーク資源取得に係る時間を短縮して、ルータがｐｏｓｔ要求を連続して２回送信する間の時間間隔を短縮することができ、単位時間内にルータがｐｏｓｔ要求を送信する回数を増加させ、有限のネットワーク資源を取得する成功率を大幅に向上させる。
【００２８】
以上の一般的な記述と、以下の詳細の記述は、ただ例示的なものであって、本発明を限定するものではないことを理解すべきである。
【図面の簡単な説明】
【００２９】
ここの図面は、明細書に組み入れて本明細書の一部を構成し、本発明に該当する実施例を例示するとともに、明細書とともに本発明の原理を解釈するために用いられる。
【００３０】
【図１】１つの例示的な実施例に係るルータアクセス制御方法の例示的なフロー図である。
【図２】１つの例示的な実施例に係る図１のステップＳ１５の例示的なフロー図である。
【図３】１つの例示的な実施例に係るルータアクセス制御方法の例示的なフロー図である。
【図４】１つの例示的な実施例に係るルータアクセス制御方法の例示的なフロー図である。
【図５】１つの例示的な実施例に係るルータアクセス制御方法の例示的なフロー図である。
【図６】１つの例示的な実施例に係るルータアクセス制御方法の例示的なフロー図である。
【図７】１つの例示的な実施例に係るルータアクセス制御方法の例示的なフロー図である。
【図８】１つの例示的な実施例に係るルータアクセス制御装置の模式図である。
【図９】１つの例示的な実施例に係るルータアクセス制御装置の模式図である。
【図１０】１つの例示的な実施例に係るルータアクセス制御装置の模式図である。
【図１１】１つの例示的な実施例に係るルータアクセス制御を実現するための電子機器の例示的なブロック図である。
【図１２】１つの例示的な実施例に係るサーバの構成を示す模式図である。
【００３１】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００３２】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施形態は、本発明に一致する全ての実施形態を代表するわけではない。かえって、それらは、添付される特許請求の範囲で詳細に記載する、本発明の一部の態様に一致する装置、及び方法の例に過ぎない。
【００３３】
図１は、１つの例示的な実施例に係るルータアクセス制御方法のフロー図であり、図１に示されたように、当該ルータアクセス制御方法は、ルータに用いられ、以下のステップを含む。
【００３４】
ステップＳ１１において、ターゲットウェブサイトのアドレスと、ターゲットｐｏｓｔコンテンツを取得する。
【００３５】
ターゲットウェブサイトのアドレスは、ユーザがｐｏｓｔ要求を送信しようとするウェブサイトのアドレスであり、例えば、タオバオ、京東、１号店などのウェブサイトアドレスなどの有り触れるショッピングモールのウェブサイトアドレスであってもよく、例えば、乗車券予約ウェブサイト、飛行機チケット予約ウェブサイト、ホテル予約ウェブサイト、または旅行予約ウェブサイトなどのチケット予約、またはその他のサービスウェブサイトのアドレスであってもよい。
【００３６】
ターゲットｐｏｓｔコンテンツは、ユーザがｐｏｓｔ要求によってターゲットウェブサイトのアドレスに提出しようとする情報である。本発明の実施例において、ターゲットｐｏｓｔコンテンツは、ターゲットウェブサイトによって自由に設定することができる。例えば、ショッピングモールウェブサイトの場合、ターゲットｐｏｓｔコンテンツは、購入物品の名称、数量、支払い方式、宅配選択、及び配送アドレスなどであり、乗車券、または飛行機チケット予約の場合、ターゲットｐｏｓｔコンテンツは、出発地、目的地、運行時間（フライト）、乗車(飛行機搭乗)期日、選択した座席種類、予約枚数、及び搭乗人員の身分情報などである。また、ホテル予約、または旅行予約の場合は、上記列挙したコンテンツに基づいて、ターゲットｐｏｓｔコンテンツに該当業種で要求する情報を含めばよい。
【００３７】
ユーザは、ルータに直接ウェブサイトのアドレスとターゲットｐｏｓｔコンテンツを入力してもよく、例えば、携帯電話、タブレットＰＣ、またはコンピュータなどの端末を用いてルータに提出してもよい。
【００３８】
ステップＳ１２において、上記ターゲットｐｏｓｔコンテンツに基づいて、ｐｏｓｔ要求を生成する。
【００３９】
当該ステップにおいて、従来のネットワーク転送プロトコルにおけるｐｏｓｔ要求フォーマットを用いて、ターゲットｐｏｓｔコンテンツに基づいて、対応するｐｏｓｔ要求を生成し、生成したｐｏｓｔ要求には、ターゲットｐｏｓｔコンテンツに対応する情報が含まれる。
【００４０】
ステップＳ１３において、上記ターゲットウェブサイトのアドレスに上記ｐｏｓｔ要求を送信する。
【００４１】
ルータは、ネットワークを介して、ターゲットウェブサイトのアドレスに対応するサーバに生成されたｐｏｓｔ要求を送信する。
【００４２】
ステップＳ１４において、上記ターゲットウェブサイトのアドレスが上記ｐｏｓｔ要求に基づいて返したリターン・メッセージを取得する。
【００４３】
ターゲットウェブサイトのアドレスに対応するサーバは、ｐｏｓｔ要求を受信すると、当該ｐｏｓｔ要求に基づいて、対応的にリターン・メッセージを返信して、ユーザが当該リターン・メッセージによって、ターゲットウェブサイトのアドレスに送信したｐｏｓｔ要求の結果を確認できるようにする。リターン・メッセージには、例えば、チケット予約成功、またはチケット予約失敗などの、予め設定された特定のメッセージが含まれてもよく、例えば、乗車券の出発地、目的地、運行時間、乗車期日、選択した座席種類、予約枚数、及び乗車人員の身分情報などの上記ターゲットｐｏｓｔコンテンツに関連する情報が含まれてもよい。
【００４４】
同一のターゲットウェブサイトのアドレスの場合、異なる種類、フォーマット、及び/またはコンテンツのリターン・メッセージは、異なる結果を表し、異なるターゲットウェブサイトのアドレスの場合、一般的に、異なる種類、フォーマット、及び/またはコンテンツのリターン・メッセージを用いて異なる結果を表し、もちろん、例えば、タオバオと、ティーモールなどの同一の会社に属するウェブサイト、またはホテル予約に関するウェブサイトなど類似なウェブサイトが同一のリターン・メッセージを用いることもあり得る。
【００４５】
ステップＳ１５において、上記リターン・メッセージが予め設定されたリターン・メッセージであるか否かを判断する。
【００４６】
本発明の１つの例示的な実施例において、図２に示されたように、ステップＳ１５は、以下のステップを含んでもよい。
【００４７】
ステップＳ１５１において、上記リターン・メッセージにおけるターゲット特徴を取得する。
【００４８】
ターゲット特徴は、当該リターン・メッセージの特徴を一意に識別するか確認できる。本発明の実施例において、ターゲット特徴は、リターン・メッセージに含まれている予め設定された文字、予め設定された数字、上記ターゲットｐｏｓｔコンテンツに対応する少なくとも１つのフィールド内の文字、及び/または数字などである。なお、ターゲット特徴は、リターン・メッセージのフォーマットなどであってもよい。
【００４９】
ステップＳ１５２において、予め設定された特徴データベースに上記ターゲット特徴が含まれているか否かを判断する。
【００５０】
各ターゲットウェブサイトのアドレスには、それぞれ、それに対応する特徴データベースが予め対応付けられ、リターン・メッセージの取得後に、テーブル検索などの方式でターゲット特徴と予め設定された特徴データベース内の特徴を比較する。
【００５１】
予め設定された特徴データベース内に上記ターゲット特徴が含まれている場合、ステップＳ１５３において、上記リターン・メッセージが予め設定されたリターン・メッセージであると確認する。一方、予め設定された特徴データベースに上記ターゲット特徴が含まれていない場合、ステップＳ１５４において、上記リターン・メッセージが予め設定されたリターン・メッセージではないと確認する。
【００５２】
リターン・メッセージが予め設定されたリターン・メッセージではない場合、ステップＳ１３に戻って、リターン・メッセージが予め設定されたリターン・メッセージになるまで、引き続きターゲットウェブサイトのアドレスに上記ｐｏｓｔ要求を送信し、処理を終了する。
【００５３】
上記技術案から分かるように、本発明の実施例に係るルータアクセス制御方法によると、ネットワーク資源を取得する過程において、ルータは、ターゲットウェブサイトのアドレスとターゲットｐｏｓｔコンテンツを一回（一般的には、今回のネットワーク資源取得過程において最初に）取得すれば、その後のネットワーク資源取得過程において、今回のネットワーク資源取得過程のリターン・メッセージが予め設定されたリターン・メッセージであるか否かを判断することができ、予め設定されたリターン・メッセージを取得できなかった場合、今回のネットワーク資源取得過程のリターン・メッセージが予め設定されたリターン・メッセージになるまで、ｐｏｓｔ要求の送信を自動的に複数回実行する。
【００５４】
本発明にかかるルータアクセス制御方法によると、パラメータ（ターゲットウェブサイトのアドレスとターゲットｐｏｓｔ要求を含む）を一回受信すれば、予め設定されたリターン・メッセージが返信されるまで、その後のｐｏｓｔ要求の送信を自動的に複数回実行できるため、関連技術において、要求に失敗した場合、ユーザが再度入力するか操作しなければならない問題を回避でき、操作が簡単で便利である。
【００５５】
一方、本発明にかかるルータアクセス制御方法によると、ネットワーク資源取得過程において、ユーザが端末を用いてターゲットウェブサイトのアドレスとターゲットｐｏｓｔコンテンツをルータに一回送信すれば、残りのデータやり取りは、すべてルータと、ターゲットウェブサイトのアドレスに対応するサーバの間で行われるため、関連技術に比べて、ルータが毎回ｐｏｓｔ要求のリターン・メッセージをユーザに転送しユーザがさらに操作してｐｏｓｔ要求を送信する必要がない。従って、ルータと端末の間のやり取り回数を減少させることができ、今回のネットワーク資源取得に係る時間を短縮して、ルータがｐｏｓｔ要求を連続して２回送信する間の時間間隔を短縮することができ、単位時間内にルータがｐｏｓｔ要求を送信する回数を増加させ、有限のネットワーク資源を取得する成功率を大幅に向上させる。
【００５６】
図３は、１つの例示的な実施例に係るルータアクセス制御方法のフロー図であり、図３に示されたように、図１の例示的な実施例を基にして、上記方法は、以下のステップをさらに含んでもよい。
【００５７】
上記リターン・メッセージが予め設定されたリターン・メッセージである場合、ステップＳ３１において、上記リターン・メッセージに基づいて、通知プッシュメッセージを生成する。
【００５８】
生成された通知プッシュメッセージには、リターン・メッセージに対応する情報が含まれている。
【００５９】
ステップＳ３２において、予め設定された少なくとも１つの受信端末に上記通知プッシュメッセージを送信する。
【００６０】
通知プッシュメッセージを送信する目的は、ユーザに今回のｐｏｓｔ要求の結果を通知するためであり、プッシュメッセージを送信する方式を用いて、ユーザが今回のｐｏｓｔ要求の結果を迅速に確認できるようにする。
【００６１】
本発明の例示的な実施例において、予め設定された受信端末にプッシュメッセージを送信する方式は、ＳＭＳ（Ｓｈｏｒｔ  Ｍｅｓｓａｇｅ  Ｓｅｒｖｉｃｅ）、Ｅメール、ウェブページメッセージ、インターネットプッシュメッセージ、ＬＡＮ通知メッセージのうちの１つまたは複数の組み合わせである。また、予め設定された受信端末は、移動端末、コンピュータ、またはその他のネットワーク端末であり得ることが分かる。
【００６２】
通知プッシュメッセージを送信することによって、ユーザが予め設定された方式でｐｏｓｔ要求の結果を直ちに迅速にユーザに通知して、ユーザがリターン・メッセージを直ちに確認し、リターン・メッセージに基づいて、例えば、支払い、注文の取り消し、または注文情報の修正などのその後の処理を便利に行えるようにする。
【００６３】
図４は、１つの例示的な実施例に係るルータアクセス制御方法のフロー図であり、図４に示されたように、図１の例示的な実施例を基にして、上記方法は、以下のステップをさらに含んでもよい。
【００６４】
上記リターン・メッセージが予め設定されたリターン・メッセージである場合、ステップＳ４１において、リターン・メッセージにおける支払い情報を取得する。
【００６５】
図３の例示的な実施例において、通知プッシュメッセージの目的は、ユーザに今回のｐｏｓｔ要求の結果を通知するためであり、本発明の例示的な実施例において、ユーザの操作をより簡便にするために、リターン・メッセージが予め設定されたリターン・メッセージである場合、リターン・メッセージに含まれている支払い情報を直接取得できるようにする。
【００６６】
ステップＳ４２において、上記支払い情報に基づいて、支払いプッシュメッセージを生成する。
【００６７】
生成された支払いプッシュメッセージには、例えば、支払いリンクなどの支払い情報に対応する情報が含まれている。
【００６８】
ステップＳ４３において、予め設定された少なくとも１つの受信端末に上記支払いプッシュメッセージを送信する。
【００６９】
当該ステップは、上記ステップＳ３２の詳細な説明を参照でき、ここで、具体的に説明しない。
【００７０】
また、着払いなどの直接支払う必要がないチケット予約、またはショッピングの場合、リターン・メッセージには、例えば、物流情報などのその他の情報がさらに含まれてもよく、同様に、このような情報をユーザに送信することができる。
【００７１】
ユーザが支払いプッシュメッセージを受信したということは、実質的には、ユーザが既に今回のｐｏｓｔ要求の結果を直ちに確認したことを説明し、なお、支払いプッシュメッセージを通じてその後の支払いなどの操作を迅速に行えるため、ユーザがリターン・メッセージに基づいて支払うまでの中間手順を減少させ、時間を短縮する。別の角度から見ると、ユーザが誘引されるか支払いリンクの選択に間違うことを回避し、ユーザがだまされるリスクを減少させ、セキュリティを向上させる。
【００７２】
図５は、１つの例示的な実施例に係るルータアクセス制御方法のフロー図であり、図５に示されたように、当該ルータアクセス制御方法は、ルータに用いられ、以下のステップを含む。
【００７３】
ステップＳ５１において、送信端末から送信された、またはルータに接続されている入力装置から入力されたｐｏｓｔ指示を受信する。
【００７４】
例えば、コンピュータなどの送信端末は、有線接続方式でルータに接続でき、例えば、携帯電話、タブレットＰＣなどの移動端末のような送信端末は、無線接続方式でルータに接続できる。
【００７５】
ルータのスマート化の発展に従って、現在のルータには、タッチスクリーン、キーなどの入力装置が設けられていてもよい。従って、ルータに設けられているタッチスクリーン、キーなどの入力装置を用いて、ユーザから入力されたｐｏｓｔ指示を受信することもできる。
【００７６】
Ｐｏｓｔ指示には、少なくとも上記ターゲットウェブサイトのアドレスと、ターゲットｐｏｓｔコンテンツが含まれている。１つの実施例において、ルータは、テーブルのようなインタフェースを提供でき、ユーザは、送信端末を用いてｐｏｓｔ指示を送信するか、またはルータに直接ｐｏｓｔ指示を入力することができる。
【００７７】
ステップＳ５２において、上記ｐｏｓｔ指示から上記ターゲットウェブサイトのアドレスとターゲットｐｏｓｔコンテンツを抽出する。
【００７８】
ステップＳ５３において、上記ターゲットｐｏｓｔコンテンツに基づいて、ｐｏｓｔ要求を生成する。
【００７９】
ステップＳ５４において、上記ターゲットウェブサイトのアドレスに上記ｐｏｓｔ要求を送信する。
【００８０】
ステップＳ５５において、上記ターゲットウェブサイトのアドレスが上記ｐｏｓｔ要求に基づいて返したリターン・メッセージを取得する。
【００８１】
ステップＳ５６において、上記リターン・メッセージが予め設定されたリターン・メッセージであるか否かを判断する。
【００８２】
リターン・メッセージが予め設定されたリターン・メッセージではない場合、ステップＳ５４に戻って、引き続きターゲットウェブサイトのアドレスにｐｏｓｔ要求を送信する。
【００８３】
リターン・メッセージが予め設定されたリターン・メッセージである場合、ステップＳ５７において、上記ｐｏｓｔ指示から上記予め設定された受信端末の情報を抽出する。
【００８４】
ｐｏｓｔ指示には、プッシュメッセージを受信するための予め設定された受信端末の情報が含まれている。予め設定された受信端末の情報は、ＩＰアドレス、アカウント、またはＩＤである。ここで、ＩＤは、携帯電話番号などである。即ち、ユーザは、予め設定された受信端末の情報を事前に指定することができる。
【００８５】
実際の応用環境において、予め設定された受信端末の情報は、ｐｏｓｔ要求を送信する端末と同じであってもよく、ｐｏｓｔ要求を送信する端末と異なってもよい。本発明の例示的な実施例において、ユーザは、コンピュータを用いてチケットを予約し、当該コンピュータ、またはその他の寝室内のコンピュータなどの当該コンピュータと同一のＬＡＮに位置するその他のコンピュータを予め設定された受信端末に設定してもよい。同様に、当業者は、当該方法をオフィスなどのＬＡＮに適用できることを容易に想到できる。しかしながら、ユーザが現在コンピュータを用いてチケットを予約するが、その後の一定の時間内にユーザがコンピュータから離れる可能性がある場合、例えば、ユーザが朝起きた後にコンピュータでチケットを予約してから出勤する場合、ユーザは、コンピュータを用いてｐｏｓｔ指示を送信する際、携帯電話を受信端末として指定することができる。このようにして、出勤の途中に一旦チケット予約に成功すると、ユーザが携帯電話を通じてプッシュメッセージを受信できるようにし、あるいは、同時にユーザが指定したＥメールアドレスにＥメールを送信して、ユーザが会社に到着した後にＥメールをチェックしてプッシュメッセージを取得できるようにし、または、出勤の途中に一旦チケット予約に成功すると、ウェブページのポップアップなどの形式でユーザにプッシュメッセージを送信することができる。また、ユーザが複数の人を助けてチケットを予約する場合、ｐｏｓｔ指示において当該複数の人の携帯電話を予め設定された受信端末として指定して、チケット予約に成功した後に当該複数の人の携帯電話にプッシュメッセージが送信されるようにすることができる。
【００８６】
ステップＳ５７の実行順番は、ステップＳ５６以降に限定されず、ｐｏｓｔ指示を取得した後であって、ステップＳ５８以前のいずれの時点で実行してもよい。
【００８７】
ステップＳ５８において、上記リターン・メッセージに基づいて、通知プッシュメッセージを生成する。
【００８８】
ステップＳ５９において、予め設定された少なくとも１つの受信端末に上記通知プッシュメッセージを送信する。
【００８９】
図６は、１つの例示的な実施例に係るルータアクセス制御方法のフロー図であり、図６に示されたように、当該ルータアクセス制御方法は、ルータに用いられ、以下のステップを含む。
【００９０】
ステップＳ６１において、アプリケーションを用いて、送信端末から送信されたｐｏｓｔ指示を受信する。
【００９１】
ｐｏｓｔ指示には、少なくとも上記ターゲットｐｏｓｔコンテンツが含まれている。
【００９２】
本発明の例示的な実施例において、ルータには、１つまたは複数のアプリケーションが内装できる。例えば、各アプリケーションには、いずれも１つの予め設定されたウェブサイトのアドレスがバインディングできる。例えば、鉄道部のチケット予約ウェブサイトについては、列車乗車券予約ａｐｐをインストールでき、タオバオウェブサイトについては、タオバオショッピングａｐｐをインストールできる。このようにして、ユーザがいずれかのサービスを必要とする際、専用ａｐｐを用いてｐｏｓｔ指示を入力することができる。
【００９３】
ステップＳ６２において、上記アプリケーションにバインディングされた予め設定されたウェブサイトアドレスを、上記ターゲットウェブサイトのアドレスとして確定する。
【００９４】
各アプリケーションにいずれも１つの予め設定されたウェブサイトアドレスがバインディングされているため、いずれかのアプリケーションを用いてｐｏｓｔ指示を受信する際、当該アプリケーションにバインディングされた予め設定されたウェブサイトアドレスをターゲットウェブサイトのアドレスとして確定することができる。
【００９５】
ステップＳ６３において、上記ｐｏｓｔ指示から上記ターゲットｐｏｓｔコンテンツを抽出する。
【００９６】
ステップＳ６４において、上記ターゲットｐｏｓｔコンテンツに基づいて、ｐｏｓｔ要求を生成する。
【００９７】
ステップＳ６５において、上記ターゲットウェブサイトのアドレスに上記ｐｏｓｔ要求を送信する。
【００９８】
ステップＳ６６において、上記ターゲットウェブサイトのアドレスが上記ｐｏｓｔ要求に基づいて返したリターン・メッセージを取得する。
【００９９】
ステップＳ６７において、上記リターン・メッセージが予め設定されたリターン・メッセージであるか否かを判断する。
【０１００】
リターン・メッセージが予め設定されたリターン・メッセージではない場合、ステップＳ６５に戻って、リターン・メッセージが予め設定されたリターン・メッセージになるまで、引き続きターゲットウェブサイトのアドレスに上記ｐｏｓｔ要求を送信する。
【０１０１】
リターン・メッセージが予め設定されたリターン・メッセージである場合、ステップＳ６８において、上記リターン・メッセージにおける支払い情報を取得する。 
【０１０２】
ステップＳ６９において、上記支払い情報に基づいて、支払いプッシュメッセージを生成する。
【０１０３】
ステップＳ７０において、予め設定された少なくとも１つの受信端末に上記支払いプッシュメッセージを送信する。
【０１０４】
ルータに様様なアプリケーションを内装する方法を通じて、ユーザは、ルータ内のいずれかのアプリケーションに直接アクセスすることができ、当該アプリケーションが提供する入力インタフェースにより、少なくともｐｏｓｔコンテンツを含むｐｏｓｔ指示を直接入力することができるため、ターゲットウェブサイトのアドレスの入力を省略し、ｐｏｓｔ要求を簡便且つ迅速に送信することができる。特に、普通ポータルサイトでターゲットウェブサイトを開き、ウェブサイトのアドレスの具体的な書き方に詳しくないユーザにとって、ｐｏｓｔ要求の送信が非常に簡単で迅速である。
【０１０５】
図７は、１つの例示的な実施例に係るルータアクセス制御方法のフロー図であり、図７に示されたように、当該ルータアクセス制御方法は、ルータに用いられ、以下のステップを含む。
【０１０６】
ステップＳ７１において、送信端末から送信された参照ｐｏｓｔ要求を受信する。
【０１０７】
ユーザは、送信端末において、ブラウザを用いて直接ターゲットウェブサイトにアクセスし、ターゲットウェブサイトにおいてｐｏｓｔコンテンツを作成でき、ブラウザは、参照ｐｏｓｔ要求を直接生成し、参照ｐｏｓｔ要求をルータに送信することができる。参照ｐｏｓｔ要求には、少なくとも参照ウェブサイトのアドレスと参照ｐｏｓｔコンテンツが含まれている。また、参照ｐｏｓｔ要求には、予め設定された受信端末の情報が含まれてもよい。
【０１０８】
ステップＳ７２において、予め設定されたウェブサイトアドレスのデータベースに上記参照ウェブサイトのアドレスが含まれているか否かを判断する。
【０１０９】
ルータには、ウェブサイトアドレスのデータベースが予め設定され、有り触れるショッピング、チケット予約ウェブサイトに対応するウェブサイトアドレス、またはユーザが事前に入力したウェブサイトアドレスが記憶されている。
【０１１０】
予め設定されたウェブサイトアドレスのデータベースに参照ウェブサイトのアドレスが含まれている場合、ステップＳ７３において、上記参照ｐｏｓｔ要求から上記参照ウェブサイトのアドレスと参照ｐｏｓｔ要求を抽出する。また、参照ｐｏｓｔ要求から参照ウェブサイトのアドレスを抽出するステップは、ステップＳ７１以降であって、ステップＳ７２の以前に実行されてもよい。
【０１１１】
ステップＳ７４において、上記参照ウェブサイトのアドレスを上記ターゲットウェブサイトのアドレスとして確定し、上記参照ｐｏｓｔコンテンツを上記ターゲットｐｏｓｔコンテンツとして確定する。
【０１１２】
予め設定されたウェブサイトアドレスのデータベースに参照ウェブサイトのアドレスが含まれていない場合、ステップＳ７８において、従来のルータ操作方式に従って参照ｐｏｓｔ要求を直接転送する。
【０１１３】
ステップＳ７５において、ターゲットウェブサイトのアドレスに参照ｐｏｓｔ要求を送信する。
【０１１４】
当該ステップにおいて、参照ｐｏｓｔ要求を送信待ちｐｏｓｔ要求として、直接ターゲットウェブサイトのアドレスに送信する。
【０１１５】
ステップＳ７６において、ターゲットウェブサイトのアドレスが参照ｐｏｓｔ要求に基づいて返したリターン・メッセージを取得する。
【０１１６】
ステップＳ７７において、上記リターン・メッセージが予め設定されたリターン・メッセージであるか否かを判断する。
【０１１７】
リターン・メッセージが予め設定されたリターン・メッセージではない場合、ステップＳ７５に戻って、リターン・メッセージが予め設定されたリターン・メッセージになるまで、引き続きターゲットウェブサイトのアドレスに参照ｐｏｓｔ要求を送信する。リターン・メッセージが予め設定されたリターン・メッセージである場合、処理を終了する。
【０１１８】
本発明の例示的な実施例は、複数の特定のウェブサイトアドレスに対して加速するためのプラグインをルータに内装している。複数の特定のウェブサイトアドレスは、予め設定されたウェブサイトアドレスのデータベースに含まれているウェブサイトアドレスである。このようにして、ユーザは、複数のターゲットウェブサイトのアドレスに複数のｐｏｓｔ要求を送信する際に、ルータで該当するアプリケーションを探し、異なるアプリケーションにおいてそれぞれｐｏｓｔ指示を入力する必要がなく、端末のブラウザで直接操作することができる。異なる参照ｐｏｓｔ要求がブラウザによりルータに送信されると、ルータは、端末から送信された参照ｐｏｓｔ要求に対して、リターン・メッセージが予め設定されたメッセージと同じになるまで、選択的に自動にｐｏｓｔ要求を複数回送信するか、または選択的に直接転送することができるため、ユーザ操作の複雑度を大幅に減少させる。
【０１１９】
上記の図１、図３、図４、図５、図６、及び図７に図示された本発明の例示的な実施例をまとめると、例示的な実施例のいずれにおいても、ユーザは、ネットワーク資源取得過程において端末を用いてルータにターゲットウェブサイトのアドレスとターゲットｐｏｓｔコンテンツを一回送信すればよく、残りのデータのやり取りは、ルータと、ターゲットウェブサイトのアドレスに対応するサーバの間で行われる。関連技術に比べて、ルータが毎回ｐｏｓｔ要求のリターン・メッセージをユーザに転送しユーザがさらに操作してｐｏｓｔ要求を送信する必要がない。従って、ルータと端末の間のやり取り回数を減少させることができ、今回のネットワーク資源取得に係る時間を短縮して、ルータがｐｏｓｔ要求を連続して２回送信する間の時間間隔を短縮することができ、単位時間内にルータがｐｏｓｔ要求を送信する回数を増加させ、有限のネットワーク資源を取得する成功率を大幅に向上させる。
【０１２０】
また、本発明の図１、図３、図４、図５、図６、及び図７に図示した本発明の例示的な実施例において、異なる例示的な実施例の同一のステップは互いに参照することができ、異なる実施例の異なるステップは互いに組み合わせすることもでき、組み合わせして得られる技術案も本発明の実施例の保護範囲に属する。
【０１２１】
図８は、１つの例示的な実施例に係るルータアクセス制御装置の模式図である。図８を参照すると、当該装置は、オブジェクト取得ユニット１０１、要求生成ユニット１０２、要求送信ユニット１０３、リターン・メッセージ取得ユニット１０４、及びリターン・メッセージ判断ユニット１０５を含む。
【０１２２】
オブジェクト取得ユニット１０１は、ターゲットウェブサイトのアドレスと、ターゲットｐｏｓｔコンテンツを取得する。
【０１２３】
本発明の１つの例示的な実施例において、オブジェクト取得ユニット１０１は、第１の指示受信ユニットとオブジェクト抽出ユニットを含み、ここで、当該第１の指示受信ユニットは、送信端末から送信された、または上記ルータに接続されている入力装置から入力されたｐｏｓｔ指示を受信する。上記ｐｏｓｔ指示には、少なくとも上記ターゲットウェブサイトのアドレスとターゲットｐｏｓｔコンテンツが含まれ、当該オブジェクト抽出ユニットは、上記ｐｏｓｔ指示からターゲットウェブサイトのアドレスとターゲットｐｏｓｔコンテンツを抽出する。
【０１２４】
本発明の１つの例示的な実施例において、オブジェクト取得ユニット１０１は、第２の指示受信ユニット、ターゲットウェブサイトアドレス確定ユニット、及びターゲットｐｏｓｔコンテンツ抽出ユニットを含み、ここで、当該第２の指示受信ユニットは、アプリケーションを用いて、送信端末から送信されたｐｏｓｔ指示を受信する。上記ｐｏｓｔ指示には、少なくとも上記ターゲットｐｏｓｔコンテンツが含まれ、上記アプリケーションには、予め設定されたウェブサイトアドレスがバインディングされている。ターゲットウェブサイトアドレス確定ユニットは、上記アプリケーションにバインディングされた予め設定されたウェブサイトアドレスを上記ターゲットウェブサイトのアドレスとして確定し、ターゲットｐｏｓｔコンテンツ抽出ユニットは、上記ｐｏｓｔ指示から上記ターゲットｐｏｓｔコンテンツを抽出する。
【０１２５】
本発明の１つの例示的な実施例において、オブジェクト取得ユニット１０１は、要求受信ユニット、ウェブサイトアドレス判断ユニット、参照オブジェクト抽出ユニット、及びターゲットオブジェクト確定ユニットを含み、ここで、当該要求受信ユニットは、送信端末から送信された参照ｐｏｓｔ要求を受信し、上記参照ｐｏｓｔ要求には、少なくとも参照ウェブサイトのアドレスと参照ｐｏｓｔコンテンツが含まれている。当該ウェブサイトアドレス判断ユニットは、予め設定されたウェブサイトアドレスのデータベースに上記参照ウェブサイトのアドレスが含まれているか否かを判断し、参照オブジェクト抽出ユニットは、予め設定された上記ウェブサイトアドレスのデータベースに上記参照ウェブサイトのアドレスが含まれている場合、上記参照ｐｏｓｔ要求から上記参照ウェブサイトのアドレスと参照ｐｏｓｔ要求を抽出し、ターゲットオブジェクト確定ユニットは、上記参照ウェブサイトのアドレスを上記ターゲットウェブサイトのアドレスとして確定し、上記参照ｐｏｓｔコンテンツを上記ターゲットｐｏｓｔコンテンツとして確定する。
【０１２６】
要求生成ユニット１０２は、上記ターゲットｐｏｓｔコンテンツに基づいて、ｐｏｓｔ要求を生成する。
【０１２７】
要求送信ユニット１０３は、上記ターゲットウェブサイトのアドレスに上記ｐｏｓｔ要求を送信する。
【０１２８】
リターン・メッセージ取得ユニット１０４は、ターゲットウェブサイトのアドレスが上記ｐｏｓｔ要求に基づいて返したリターン・メッセージを取得する。
【０１２９】
リターン・メッセージ判断ユニット１０５は、上記リターン・メッセージが予め設定されたリターン・メッセージであるか否かを判断する。
【０１３０】
上記リターン・メッセージが予め設定されたリターン・メッセージではない場合、上記要求送信ユニット１０３は、さらに、上記リターン・メッセージが予め設定されたリターン・メッセージになるまで、引き続き上記ターゲットウェブサイトのアドレスに上記ｐｏｓｔ要求を送信する。
【０１３１】
図９は、１つの例示的な実施例に係るルータアクセス制御装置の模式図である。図９を参照すると、図８の例示的な実施例を基として、当該装置は、第１のプッシュメッセージ生成ユニット２０１と、第１のプッシュメッセージ送信ユニット２０２をさらに含む。
【０１３２】
第１のプッシュメッセージ生成ユニット２０１は、上記リターン・メッセージが予め設定されたリターン・メッセージである場合、上記リターン・メッセージに基づいて、通知プッシュメッセージを生成する。
【０１３３】
第１のプッシュメッセージ送信ユニット２０２は、予め設定された少なくとも１つの受信端末に通知プッシュメッセージを送信する。
【０１３４】
本発明の例示的な実施例において、予め設定された受信端末にプッシュメッセージを送信する方式は、ＳＭＳ、Ｅメール、ウェブページメッセージ、インターネットプッシュメッセージ、ＬＡＮ通知メッセージのうちの１つまたは複数の組み合わせである。また、予め設定された受信端末は、移動端末、コンピュータ、またはその他のネットワーク端末などである。
【０１３５】
図１０は、１つの例示的な実施例に係るルータアクセス制御装置の模式図である。図１０を参照すると、図８の例示的な実施例を基として、当該装置は、支払い情報取得ユニット３０１、第２のプッシュメッセージ生成ユニット３０２、及び第２のプッシュメッセージ送信ユニット３０３をさらに含む。
【０１３６】
支払い情報取得ユニット３０１は、上記リターン・メッセージが予め設定されたリターン・メッセージである場合、上記リターン・メッセージにおける支払い情報を取得する。
【０１３７】
第２のプッシュメッセージ生成ユニット３０２は、上記支払い情報に基づいて、支払いプッシュメッセージを生成する。
【０１３８】
第２のプッシュメッセージ送信ユニット３０２は、予め設定された少なくとも１つの受信端末に支払いプッシュメッセージを送信する。
【０１３９】
また、上記ｐｏｓｔ指示または参照ｐｏｓｔ要求に、プッシュメッセージを受信するための予め設定された受信端末の情報が含まれている場合、当該装置は、端末情報抽出ユニットをさらに含んでもよい。
【０１４０】
当該端末情報抽出ユニットは、上記ｐｏｓｔ指示または参照ｐｏｓｔ要求から上記予め設定された受信端末の情報を抽出する。
【０１４１】
実際の応用環境において、予め設定された受信端末の情報は、ｐｏｓｔ要求を送信する端末と同一であってもよく、ｐｏｓｔ要求を送信する端末と同一であってもよい。
【０１４２】
上記実施例の装置において、各モジュールの動作方式は、関連する当該方法の実施例で既に詳細に記述したため、ここで繰り返して詳細に説明しない。
【０１４３】
図１１は、１つの例示的な実施例に係るルータアクセス制御を実現するための電子機器８００のブロック図である。例えば、電子機器８００は、携帯電話、コンピュータ、デジタル放送端末、メッセージ送受信装置、ゲームコンソール、タブレット装置、医療設備、ヘルス装置、ＰＤＡ、ルータなどであり、ルータ以外の上記その他の装置にはいずれもルータの機能が集積できる。
【０１４４】
図１１を参照すると、電子機器８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ以上のアセンブリを含んでよい。
【０１４５】
プロセスアセンブリ８０２は、一般的には電子機器８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【０１４６】
メモリ８０４は、各種類のデータを記憶することにより電子機器８００の操作を支援するように構成される。これらのデータの例は、電子機器８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１４７】
電源アセンブリ８０６は、電子機器８００の多様なアセンブリに電力を供給する。電源アセンブリ８０６は、電源管理システム、一つ以上の電源、及び電子機器８００のための電力の生成、管理及び割り当てに関連する他のアセンブリを含んでもよい。
【０１４８】
マルチメディアアセンブリ８０８は、上記電子機器８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間及び圧力も検出できる。部分実施例において、マルチメディアアセンブリ８０８は、一つのフロントカメラ、及び／又はリアカメラを含む。電子機器８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１４９】
オーディオアセンブリ８１０は、オーディオ信号を入出力するように構成される。例えば、オーディオアセンブリ８１０は、一つのマイク（ＭＩＣ）を含み、電子機器８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりする。部分実施例において、オーディオアセンブリ８１０は、オーディオ信号を出力するための一つのスピーカーをさらに含む。
【０１５０】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１５１】
センサアセンブリ８１４は、電子機器８００に各方面の状態に対する評価を提供するための一つ以上のセンサを含む。例えば、センサアセンブリ８１４は、電子機器８００のＯＮ／ＯＦＦ状態、電子機器８００のディスプレイとキーパッドのようなアセンブリの相対的な位置決めを検出できる。また、例えば、センサアセンブリ８１４は、電子機器８００、或は電子機器８００の一つのアセンブリの位置変更、ユーザと電子機器８００とが接触しているか否か、電子機器８００の方位、又は加速／減速、電子機器８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。部分実施例において、当該センサアセンブリ８１４は、加速度センサ、ジャイロスコープセンサ、磁気センサ、圧力センサ、及び温度センサをさらに含んでもよい。
【０１５２】
通信アセンブリ８１６は、電子機器８００と他の機器の間に有線、又は无線形態の通信を提供する。電子機器８００は、例えばＷｉＦｉ、２Ｇ、３Ｇ、或はこれらの組み合わせのような、通信規格に基づいた无線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信をプッシュする。例えば、ＮＦＣモジュールは、ＲＦＩＤ（ＲａｄｉｏＦｒｅｑｕｅｎｃｙ ＩＤｅｎｔｉｆｉｃａｔｉｏｎ）技術、ＩｒＤＡ（ＩｎｆｒａｒｅｄＤａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、および他の技術に基づいて実現できる。
【０１５３】
例示的な実施例において、電子機器８００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ ＰｒｏｃｅｓｓｉｎｇＤｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１５４】
例示的な実施例において、さらに、命令を含むコンピュータ読取り可能な非一時的な記録媒体、例えば命令を含むメモリ８０４を提供しており、電子機器８００のプロセッサ８２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク、光データ記憶デバイス等である。
【０１５５】
本実施例は、コンピュータ読み取り可能な不揮発性記録媒体を提供し、移動端末は、当該移動端末のプロセッサにより当該記録媒体に記憶されている指令を実行することにより、ルータアクセス制御方法を実現し、当該方法は、
ターゲットウェブサイトのアドレスと、ターゲットｐｏｓｔコンテンツを取得するステップと、
上記ターゲットｐｏｓｔコンテンツに基づいて、ｐｏｓｔ要求を生成するステップと、
上記ターゲットウェブサイトのアドレスに上記ｐｏｓｔ要求を送信するステップと、
上記ターゲットウェブサイトのアドレスが上記ｐｏｓｔ要求に基づいて返したリターン・メッセージを取得するステップと、
上記リターン・メッセージが予め設定されたリターン・メッセージであるか否かを判断するステップと、
上記リターン・メッセージが予め設定されたリターン・メッセージではない場合、上記リターン・メッセージが予め設定されたリターン・メッセージになるまで、引き続き上記ターゲットウェブサイトのアドレスに上記ｐｏｓｔ要求を送信するステップとを含む。
【０１５６】
図１２は、１つの例示的な実施例に係るサーバの構成を示す模式図である。当該サーバ１９００は、配置、或いは性能によって比較的に大きい差異が発生する可能性があり、１つ或いは１つ以上のＣＰＵ（ｃｅｎｔｒａｌｐｒｏｃｅｓｓｉｎg ｕｎｉｔｓ，中央プロセッサ）１９２２（例えば、１つ或いは１つ以上のプロセッサ）、メモリ１９３２、ＡＰＰ１９４２又はデータ１９４４を記録する１つ或いは１つ以上の記録媒体１９３０（例えば、１つ或いは１つ以上の大容量の記録デバイス）を含んでもよい。ここで、メモリ１９３２と記録媒体１９３０は、一時的に記録するか持久的に記録することができる。記録媒体１９３０に記録されているプログラムは、１つ或いは１つ以上のモジュール（未図示）を含み、各モジュールは、サーバの一連の命令操作を含むことができる。さらに、中央プロセッサ１９２２は、記録媒体１９３０と通信し、サーバ１９００で記録媒体１９３０の一連の命令操作を実行するように設置されてもよい。
【０１５７】
サーバ１９００は、さらに、１つ或いは１つ以上の電源１９２６、１つ或いは１つ以上の有線または無線ネットワークインタフェース１９５０、１つ或いは１つ以上の入出力インタフェース１９５８、１つ或いは１つ以上のキーボード１９５６、及び/或いは、１つ或いは１つ以上のＯＳ１９４１(例えば、Ｗｉｎｄｏｗｓ ＳｅｒｖｅｒＴＭ、Ｍａｃ ＯＳ ＸＴＭ、ＵｎｉｘＴＭ、ＬｉｎｕｘＴＭ、ＦｒｅｅＢＳＤＴＭなど)を含んでもよい。
【０１５８】
本実施例は、コンピュータ読み取り可能な不揮発性記録媒体を提供し、サーバは、当該サーバのプロセッサにより当該記録媒体に記憶されている指令を実行することにより、ルータアクセス制御方法を実現し、当該方法は、
ターゲットウェブサイトのアドレスと、ターゲットｐｏｓｔコンテンツを取得するステップと、
上記ターゲットｐｏｓｔコンテンツに基づいて、ｐｏｓｔ要求を生成するステップと、
上記ターゲットウェブサイトのアドレスに上記ｐｏｓｔ要求を送信するステップと、
上記ターゲットウェブサイトのアドレスが上記ｐｏｓｔ要求に基づいて返したリターン・メッセージを取得するステップと、
上記リターン・メッセージが予め設定されたリターン・メッセージであるか否かを判断するステップと、
上記リターン・メッセージが予め設定されたリターン・メッセージではない場合、上記リターン・メッセージが予め設定されたリターン・メッセージになるまで、引き続き上記ターゲットウェブサイトのアドレスに上記ｐｏｓｔ要求を送信するステップとを含む。
【０１５９】
当業者は、明細書に対する理解、及び明細書に記載された発明に対する実践を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１６０】
本発明は、上記で記述し、図面で図示した特定の構成に限定されず、その範囲を離脱しない状況で、様様な修正と変更を実現できる。本発明の範囲は、添付される特許請求の範囲のみにより限定される。
【図１】
0006026703.tif 000002
【図２】
0006026703.tif 000003
【図３】
0006026703.tif 000004
【図４】
0006026703.tif 000005
【図５】
0006026703.tif 000006
【図６】
0006026703.tif 000007
【図７】
0006026703.tif 000008
【図８】
0006026703.tif 000009
【図９】
0006026703.tif 000010
【図１０】
0006026703.tif 000011
【図１１】
0006026703.tif 000012
【図１２】
0006026703.tif 000013